(57)【要約】【課題】揚重装置の吊角度をより小さくすることができるエレベータ薄型機器搬出入装置を得る。【解決手段】昇降路１０２内に設置される薄型巻上機１００を昇降路１０２に対して搬出入する際に用いられるエレベータ薄型機器搬出入装置であって、薄型巻上機１００が載せられる荷台１１と、荷台１１の移動方向中間部に設けられ、荷台１１を支持する大径ローラ１２と、大径ローラ１２を移動方向について挟むように荷台１１に設けられ、荷台１１を支持する一対の小径ローラ１３とを有する台車１を備え、大径ローラ１２における直径の寸法は、小径ローラ１３における直径の寸法よりも大きく、大径ローラ１２の下端部は、一対の小径ローラ１３のそれぞれの下端部を結ぶ直線よりも下方に配置される。【選択図】図４
2016160091.tif 000002
【特許請求の範囲】
【請求項１】
昇降路内に設置されるエレベータ薄型機器を前記昇降路に対して搬出入する際に用いられるエレベータ薄型機器搬出入装置であって、
前記エレベータ薄型機器が載せられる荷台と、前記荷台の移動方向中間部に設けられ、前記荷台を支持する第１ローラと、前記第１ローラから移動方向について離れるように前記荷台に設けられ、前記荷台を支持する第２ローラとを有する台車を備えたことを特徴とするエレベータ薄型機器搬出入装置。
【請求項２】
前記台車は、前記第１ローラを移動方向について挟むように前記荷台に設けられた一対の前記第２ローラを有しており、
前記第１ローラにおける直径の寸法は、前記第２ローラにおける直径の寸法よりも大きく、
前記第１ローラの下端部は、一対の前記第２ローラのそれぞれの下端部を結ぶ直線よりも下方に配置されることを特徴とする請求項１に記載のエレベータ薄型機器搬出入装置。
【請求項３】
乗場三方枠における一対の縦枠に渡るように乗場に設けられ、前記第１ローラが当たることによって、前記第１ローラが前記乗場から前記昇降路に向かって移動することを規制するストッパをさらに備え、
前記第１ローラが前記ストッパによって前記乗場から前記昇降路に向かって移動することが規制されている場合に、前記荷台における先端部が前記昇降路内に配置されることを特徴とする請求項１または請求項２に記載のエレベータ薄型機器搬出入装置。
【請求項４】
前記荷台に設けられ、前記第１ローラが前記ストッパによって前記乗場から前記昇降路に向かって移動することが規制されている場合に、乗場敷居に形成された敷居溝に係合される係合部材をさらに備えたことを特徴とする請求項３記載のエレベータ薄型機器搬出入装置。
【請求項５】
荷台と、前記荷台の移動方向中間部に設けられ、前記荷台を支持する第１ローラと、前記荷台の下方であって、前記第１ローラから移動方向について離れるように前記荷台に設けられ、前記荷台を支持する第２ローラとを有する台車を備えたエレベータ薄型機器搬出入装置を用いて、昇降路内に設置されるエレベータ薄型機器を前記昇降路に対して搬出入するエレベータ薄型機器搬出入方法であって、
前記エレベータ薄型機器を前記荷台に載せるエレベータ薄型機器荷台載置工程と、
前記エレベータ薄型機器荷台載置工程の後、前記荷台における移動方向先端部が前記昇降路内に配置されるように、前記台車を乗場に配置する先端部昇降路内配置工程と
備えたことを特徴とするエレベータ薄型機器搬出入方法。
【発明の詳細な説明】
【技術分野】
【０００１】
この発明は、エレベータ薄型機器を昇降路に対して搬出入する際に用いられるエレベータ薄型機器搬出入装置およびエレベータ薄型機器を昇降路に対して搬出入するエレベータ薄型機器搬出入方法に関する。
【背景技術】
【０００２】
従来、薄型巻上機を昇降路に対して搬出入する際に用いられる薄型巻上機搬出入装置として、薄型巻上機が載せられる荷台と、荷台の移動方向両端部に設けられ、荷台を支持する複数のローラとを備えた台車が知られている。薄型巻上機が荷台に載せられた状態で台車を乗場出入口まで移動させることによって、薄型巻上機が乗場出入口まで移動する（例えば、特許文献１参照）。
【先行技術文献】
【特許文献】
【０００３】
【特許文献１】特開２００３−３１２９６１号公報
【発明の概要】
【発明が解決しようとする課題】
【０００４】
しかしながら、薄型巻上機を昇降路に対して搬入する場合には、薄型巻上機が乗場出入口に配置された状態で、昇降路に設置された揚重装置を用いて薄型巻上機を吊り上げるので、揚重装置の設置位置が十分に高くない場合には、揚重装置の吊角度が大きくなってしまうという問題点があった。
【０００５】
この発明は、揚重装置の吊角度をより小さくすることができるエレベータ薄型機器搬出入装置およびエレベータ薄型機器搬出入方法を提供するものである。
【課題を解決するための手段】
【０００６】
この発明に係るエレベータ釣合重り搬出入装置は、昇降路内に設置されるエレベータ薄型機器を昇降路に対して搬出入する際に用いられるエレベータ薄型機器搬出入装置であって、エレベータ薄型機器が載せられる荷台と、荷台の移動方向中間部に設けられ、荷台を支持する第１ローラと、第１ローラから移動方向について離れるように荷台に設けられ、荷台を支持する第２ローラとを有する台車を備えている。
【発明の効果】
【０００７】
この発明に係るエレベータ薄型機器搬出入装置によれば、荷台における移動方向先端部を昇降路内に配置することができるので、エレベータ薄型機器の一部を昇降路内に配置した状態で、昇降路に設置された揚重装置を用いてエレベータ薄型機器を吊り上げることができる。その結果、揚重装置の吊角度をより小さくすることができる。
【図面の簡単な説明】
【０００８】
【図１】この発明の実施の形態１に係るエレベータ薄型機器搬出入装置を示す側面図である。
【図２】図１のＩＩ−ＩＩ線に沿った矢視断面図である。
【図３】図１のエレベータ薄型機器搬出入装置を示す平面図である。
【図４】図３のストッパおよび固定部材を示す側面図である。
【図５】図１のエレベータ薄型機器搬出入装置を用いて薄型巻上機を昇降路に搬出入する手順を示す図である。
【図６】この発明の実施の形態２に係るエレベータ薄型機器搬出入装置を示す側面図である。
【発明を実施するための形態】
【０００９】
実施の形態１．
図１はこの発明の実施の形態１に係るエレベータ薄型機器搬出入装置を示す側面図、図２は図１のＩＩ−ＩＩ線に沿った矢視断面図、図３は図１のエレベータ薄型機器搬出入装置を示す平面図である。図において、エレベータ薄型機器搬出入装置は、薄型巻上機（エレベータ薄型機器）１００が載せられる荷台１１と、荷台１１の移動方向中間部に設けられ、荷台１１を支持する大径ローラ（第１ローラ）１２と、大径ローラ１２を移動方向について挟むように荷台１１に設けられ、荷台１１を支持する一対の小径ローラ（第２ローラ）１３とを有する台車１を備えている。薄型巻上機１００は、幅方向一端部が幅方向他端部よりも下方に位置するように、荷台１１に支持される。
【００１０】
大径ローラ１２における直径の寸法は、小径ローラ１３における直径の寸法よりも大きい。大径ローラ１２の下端部は、一対の小径ローラ１３のそれぞれの下端部を結ぶ直線よりも下方に配置される。したがって、台車１が乗場１０１を移動する場合には、荷台１１の移動方向先端部側に配置された小径ローラ１３と大径ローラ１２とが乗場１０１を転動する状態または荷台１１の移動方向基端部側に配置された小径ローラ１３と大径ローラ１２とが乗場１０１を転動する状態となる。
【００１１】
この例では、荷台１１の移動方向先端部側に配置された小径ローラ１３を前輪小径ローラ１３１とし、荷台１１の移動方向基端部側に配置された小径ローラ１３を後輪小径ローラ１３２とする。また、この例では、前輪小径ローラ１３１と大径ローラ１２とが乗場１０１を転動する場合の荷台１１の位置を後輪浮遊位置とし、後輪小径ローラ１３２と大径ローラ１２とが乗場１０１を転動する場合の荷台１１の位置を前輪浮遊位置とする。
【００１２】
また、この例では、荷台１１の移動方向とは、荷台１１が乗場１０１から昇降路１０２に向かう場合における荷台１１の移動方向であり、図１の矢印Ａの方向である。また、荷台１１の移動方向先端部とは、荷台１１が乗場１０１から昇降路１０２に向かう場合における荷台１１の前側部分であり、荷台１１の移動方向基端部とは、荷台１１が乗場１０１から昇降路１０２に向かう場合における荷台１１の後側部分である。
【００１３】
また、エレベータ薄型機器搬出入装置は、乗場三方枠１０３における一対の縦枠１０４に渡るように乗場１０１に設けられるストッパ２と、乗場１０１に設けられ、荷台１１を支持する固定部材３と、荷台１１に設けられ、荷台１１に載せられた薄型巻上機１００を荷台１１に固定するバンド部材４とをさらに備えている。
【００１４】
図４は図３のストッパ２および固定部材３を示す側面図である。ストッパ２は、縦枠１０４よりも昇降路１０２から離れた位置で、一対の縦枠１０４に渡って設けられている。したがって、ストッパ２は、縦枠１０４よりも昇降路１０２側に移動することが規制される。ストッパ２は、大径ローラ１２が当たることによって、大径ローラ１２が乗場１０１から昇降路１０２に向かって移動することを規制する。つまり、大径ローラ１２が昇降路１０２に進入することが防止される。
【００１５】
固定部材３は、乗場出入口に配置された乗場敷居１０５に載せられている。固定部材３は、前輪浮遊位置にある荷台１１における大径ローラ１２と前輪小径ローラ１３１との間の部分を支持する。固定部材３が荷台１１を支持することによって、荷台１１の位置が前輪浮遊位置に維持される。
【００１６】
次に、エレベータ薄型機器搬出入装置を用いて薄型巻上機１００を昇降路１０２に対して搬出入する手順について説明する。図５は図１のエレベータ薄型機器搬出入装置を用いて薄型巻上機１００を昇降路１０２に搬出入する手順を示す図である。まず、薄型巻上機１００を荷台１１に載せ、バンド部材４を用いて薄型巻上機１００を荷台１１に固定する（薄型巻上機載置工程）。
【００１７】
その後、荷台１１の位置を前輪浮遊位置にした状態で、台車１を乗場１０１まで移動させる。
【００１８】
その後、昇降路１０２から乗場１０１に向かう方向について縦枠１０４に隣り合うようにストッパ２を乗場１０１に設置し（ストッパ設置工程）、大径ローラ１２がストッパ２に当たるまで台車１を昇降路１０２に向かって移動させる（台車進入工程）。これにより、荷台１１の移動方向先端部が昇降路１０２の内側に配置される。
【００１９】
その後、昇降路１０２に設置された揚重装置のワイヤ（長尺物）１０６を薄型巻上機１００に接続させ、揚重装置を駆動させて、ワイヤ１０６が巻き上げられることによって、薄型巻上機１００を吊り上げる。吊り上げられた薄型巻上機１００は、昇降路１０２における所定の位置で固定される。以上により、薄型巻上機１００の昇降路１０２への搬入が終了する。
【００２０】
薄型巻上機１００を昇降路１０２から搬出する場合は、薄型巻上機１００の昇降路１０２への搬入と逆の工程を行う。
【００２１】
以上説明したように、この発明の実施の形態１に係るエレベータ薄型機器搬出入装置によれば、薄型巻上機１００が載せられる荷台１１と、荷台１１の移動方向中間部に設けられ、荷台１１を支持する大径ローラ１２と、大径ローラ１２を移動方向について挟むように荷台１１に設けられ、荷台１１を支持する一対の小径ローラ１３とを有する台車１を備え、大径ローラ１２における直径の寸法は、小径ローラ１３における直径の寸法よりも大きく、大径ローラ１２の下端部は、一対の小径ローラ１３のそれぞれの下端部を結ぶ直線よりも下方に配置されるので、荷台１１における移動方向先端部を昇降路１０２内に配置することができる。これにより、薄型巻上機１００の一部を昇降路１０２内に配置した状態で、昇降路１０２に設置された揚重装置を用いて薄型巻上機１００を吊り上げることができる。その結果、揚重装置の吊角度θをより小さくすることができる。
【００２２】
また、このエレベータ薄型機器搬出入装置は、乗場三方枠１０３における一対の縦枠１０４に渡るように乗場１０１に設けられ、大径ローラ１２が当たることによって、大径ローラ１２が乗場１０１から昇降路１０２に向かって移動することを規制するストッパ２を備え、大径ローラ１２がストッパ２によって乗場１０１から昇降路１０２に向かって移動することが規制されている場合に、荷台１１における移動方向先端部が昇降路１０２内に配置されるので、大径ローラ１２が昇降路１０２の内側に進入することを防止することができる。
【００２３】
また、この発明の実施の形態１に係るエレベータ薄型機器搬出入方法によれば、薄型巻上機１００を荷台１１に載せるエレベータ薄型機器荷台載置工程と、エレベータ薄型機器荷台載置工程の後、荷台１１における移動方向先端部が昇降路１０２内に配置されるように、台車１を乗場１０１に配置する先端部昇降路内配置工程と備えているので、荷台１１における移動方向先端部を昇降路１０２内に配置することができる。これにより、薄型巻上機１００の一部を昇降路１０２内に配置した状態で、昇降路１０２に設置された揚重装置を用いて薄型巻上機１００を吊り上げることができる。その結果、揚重装置の吊角度θをより小さくすることができる。
【００２４】
実施の形態２．
図６はこの発明の実施の形態２に係るエレベータ薄型機器搬出入装置を示す側面図である。固定部材３の上端部は、荷台１１に取り付けられている。固定部材３は、固定部材本体３１と、固定部材本体３１の下端部に設けられた係合部材３２を有している。
【００２５】
固定部材本体３１は、上下方向に伸縮可能となっている。つまり、固定部材本体３１は、下端部が乗場敷居１０５に接触する接触位置と、下端部が乗場敷居１０５よりも上方に位置する解除位置との間で変位する。固定部材本体３１は、上下方向の寸法が調整された後、ボルト等の締結部材を用いて、上下方向の寸法が維持される。台車１を移動させる場合には、固定部材本体３１の位置を解除位置にする。また、大径ローラ１２がストッパ２によって乗場１０１から昇降路１０２に向かって移動することが規制されている場合に、固定部材本体３１の位置を接触位置にする。
【００２６】
係合部材３２は、大径ローラ１２がストッパ２によって乗場１０１から昇降路１０２に向かって移動することが規制されている場合に、固定部材本体３１の位置を接触位置にすることによって、乗場敷居１０５に形成された敷居溝に係合される。その他の構成は、実施の形態１と同様である。
【００２７】
以上説明したように、この発明の実施の形態２に係るエレベータ薄型機器搬出入装置によれば、荷台１１に設けられ、大径ローラ１２がストッパ２によって乗場１０１から昇降路１０２に向かって移動することが規制されている場合に、乗場敷居１０５に形成された敷居溝に係合される係合部材３２を備えているので、大径ローラ１２がストッパ２によって乗場１０１から昇降路１０２に向かって移動することが規制されている場合に、荷台１１が昇降路１０２から離れる方向に移動することを規制することができる。
【００２８】
なお、上記実施の形態２では、固定部材３が係合部材３２を有する構成について説明したが、固定部材３とは別体の固定部材をエレベータ薄型機器搬出入装置が備えた構成であってもよい。
【００２９】
また、各上記実施の形態では、エレベータ薄型機器として、薄型巻上機１００を例に説明したが、これに限らず、例えば、かご床またはエレベータ制御盤であってもよい。
【００３０】
また、各上記実施の形態では、大径ローラ１２と、一対の小径ローラ１３とを備えた台車１の構成について説明したが、大径ローラ１２と、大径ローラ１２から移動方向について離れるように設けられた１つの小径ローラ１３とを備えた台車１であってもよい。この場合であっても、小径ローラ１３が大径ローラ１２よりも移動方向後方に配置されることにより、荷台１１における移動方向先端部を昇降路１０２内に配置することができる。なお、この場合、第１ローラにおける直径の寸法は、第２ローラにおける直径の寸法よりも大きくなくてもよい。
【符号の説明】
【００３１】
１  台車、２  ストッパ、３  固定部材、４  バンド部材、１１  荷台、１２  大径ローラ（第１ローラ）、１３  小径ローラ（第２ローラ）、３１  固定部材本体、３２  係合部材、１００  薄型巻上機（エレベータ薄型機器）、１０１  乗場、１０２  昇降路、１０３  乗場三方枠、１０４  縦枠、１０５  乗場敷居、１０６  ワイヤ、１３１  前輪小径ローラ、１３２  後輪小径ローラ。
【図１】
2016160091.tif 000003
【図２】
2016160091.tif 000004
【図３】
2016160091.tif 000005
【図４】
2016160091.tif 000006
【図５】
2016160091.tif 000007
【図６】
2016160091.tif 000008